(57)【要約】【課題】簡単な構造とすることで製造コストを低減し、紐状体を順次連結することができ、しかも連結と解除とを簡単に行うことができる紐状体の連結手段を提供するものである。【解決手段】紐状体１０の一端を固定する第一連結具１２のハウジング１６の内部に空間１８を形成し、その空間１８の奥の隔壁２０を磁石とする。紐状体１０の他端を固定する第二連結具１４のハウジング２４に鉄製のピン２６を固定する。第二連結具１４のピン２６を第一連結具１２の空間１８に挿入することで、磁石の隔壁２０と鉄製のピン２６とを吸着して第一連結具１２と第二連結具１４とを連結する。一方、磁石の隔壁２０と鉄製のピン２６との吸着力に勝る力を第一連結具１２と第二連結具１４に加えることで、第一連結具１２と第二連結具１４とを引き離すことができる。紐状体１０の両端の連結は、第一連結具１２と第二連結具１４とを嵌合するものであるので、多数の紐状体１０を連結することが可能となる。【選択図】      図１
2004167072.tif 000002
【特許請求の範囲】
【請求項１】
紐状体の両端に固定する第一連結具と第二連結具とから成り、第一連結具のハウジングの内部に空間を形成し、第二連結具に前記空間と嵌合するピンを有し、前記空間を形成する壁面の少なくとも一部か前記ピンのいずれか一方の素材を磁石とすると共に他方を磁石に吸引される素材とすることを特徴とする紐状体の連結手段。
【請求項２】
前記ハウジングの前記空間の奥側の壁面を磁石とし、前記ピンを磁石に吸引される素材としたことを特徴とする請求項１記載の紐状体の連結手段。
【発明の詳細な説明】
【０００１】
【発明の属する技術分野】
本発明は、紐状体の両端を容易に連結並びに解除することができる紐状体の連結手段に関するものである。
【０００２】
【従来の技術】
従来から、紐状体の両端に連結手段を取付け、その連結手段を連結したり解除したりして、紐状体を輪状にしたり線状にしたりするものがある。連結手段を取付ける紐状体としては、ネックレスや時計や健康回復用や健康促進用の素材を収容した健康具等の種々の商品が存在する。
【０００３】
紐状体の両端の連結手段としては、紐状体の両端にオスネジとメスネジを取付け、両者を螺合によって連結や解除をするものが知られている。しかし、オスネジとメスネジとから成るネジ式のものは、両者を少なくとも数回転させる必要があるために、連結や解除に手間がかかるという問題があった。
【０００４】
このネジ式の連結の煩わしさを無くして、連結と解除とを簡単に行わせる種々の接続具が提供されている。例えば特許文献１に示す接続具は、ピン体をハウジングに差し込むだけで連結状態になり、一方、係合体をハウジングの内部方向に押し込むだけで連結状態を解除できるものであり、連結と解除とを簡単に行うことができるものである。
【０００５】
【特許文献１】
特開平９−８４６１３号公報（第２，４，５頁、図１）
【０００６】
【発明が解決しようとする課題】
特許文献１の接続具は、ハウジングと、ガイド体と、放射状に配置する複数個の球体と、ピン体と、係合体と、係合体を所定方向に付勢するバネ体等の部品から構成されている。この接続具では、部品点数が多くしかも構造が複雑であるため、製造コストが高くなるという欠点がある。また、接続具を解除するための係合体の押圧操作と、接続具を固定するためのピン体の挿入操作とは、ハウジングの同じ位置で行うものである。このため、紐状体を複数個連結することができない欠点がある。
【０００７】
本発明は、簡単な構造とすることで製造コストを低減し、紐状体を順次連結することができ、しかも連結と解除とを簡単に行うことができる紐状体の連結手段を提供することを目的とするものである。
【０００８】
【課題を解決するための手段】
本発明に係る紐状体の連結手段は、紐状体の両端に固定する第一連結具と第二連結具とから成り、第一連結具のハウジングの内部に空間を形成し、第二連結具に前記空間と嵌合するピンを有し、前記空間を形成する壁面の少なくとも一部か前記ピンのいずれか一方の素材を磁石とすると共に他方の素材を鉄としたものである。更に、前記ハウジングの前記空間の奥側の壁面を磁石とし、前記ピンを磁石に吸引される素材としたものである。
【０００９】
【発明の実施の形態】
次に、本発明を図面に基づいて説明する。
図１は本発明に係る紐状体の連結手段を示す断面図である。本発明に係る紐状体の連結手段は、紐状体１０の一端に固定する第一連結具１２と、紐状体１０の他端に固定する第二連結具１４とから成る。第一連結具１２は、筒状のハウジング１６と、そのハウジング１６の内部に形成される一端が開口する空間１８と、その空間１８の奥側を閉鎖する磁石からなる隔壁２０（空間１８の奥側の壁面２０）とを有している。
【００１０】
筒状のハウジング１６において、隔壁２０を中心として、空間１８の反対側にへこみ部２２が形成され、そのへこみ部２２に紐状体１０の一端を圧入して第一連結具１２と紐状体１０とを固定する。紐状体１０と第一連結具１２との固定方法はこの圧入に限るものではない。このため、第一連結具１２と固定する紐状体１０の先端の形状に制約は無く、第一連結具１２には必ずしもへこみ部２２を設ける必要はない。紐状体１０の形状は、鎖状のものや中実状のものや中空状のもの等、どのような形状のものであっても良い。紐状体１０が中空状のものである場合に、その中空の内部に例えば健康回復用や健康促進用の素材を収容する等、目的に応じた各種素材を収容することができる。紐状体１０の素材もどのようなものであっても良い。
【００１１】
第二連結具１４は、ハウジング２４と、そのハウジング２４に固定されるピン２６とから成る。ピン２６の素材は磁石に吸引される鉄等の材料からなり、ピン２６が前記第一連結具１２の空間１８に嵌合した場合に、ピン２６が空間１８の奥の隔壁２０に接触する長さに設定されている。
【００１２】
第二連結具１４のハウジング２４において、ピン２６の取付け位置の反対側にへこみ部２８が形成され、そのへこみ部２８に紐状体１０の一端を圧入して紐状体１０と第二連結具１４とを固定する。紐状体１０と第二連結具１４との固定方法は、この圧入に限るものではない。このため、第二連結具１４と固定する紐状体１０の先端の形状に制約は無く、第二連結具１４には必ずしもへこみ部２８を設ける必要はない。
【００１３】
本発明において紐状体１０を連結する場合には、図１の状態から、第一連結具１２の空間１８に第二連結具１４のピン２６を挿入する。第一連結具１２の空間１８に第二連結具１４のピン２６を挿入した状態（図２）においては、第一連結具１２の空間１８の奥に配置された磁石の隔壁２０に第二連結具１４の鉄製のピン２６が吸着され、第一連結具１２と第二連結具１４とが連結される。このように、第一連結具１２と第二連結具１４との連結は、第二連結具１４のピン２６を第一連結具１２の空間１８に挿入するだけでよく、連結操作を簡単に行うことができる。
【００１４】
紐状体１０の両端の連結は、第二連結具１４のピン２６を第一連結具１２の空間１８に挿入するだけで行えることから、多数の紐状体１０を順次連結することができ、両端に第一連結具１２と第二連結具１４を備えた紐状体１０を用いて、大きさの異なる環状物を作ることができる。
【００１５】
図２に示すように、第一連結具１２の隔壁２０に第二連結具１４のピン２６が吸着された状態では、小さい力で第一連結具１２と第二連結具１４とを引き離そうとしても第一連結具１２と第二連結具１４は離れず、大きい力で第一連結具１２と第二連結具１４とを引き離そうとした場合にのみ離れるように隔壁２０の磁石の強さを設定する。第一連結具１２と第二連結具１４とを引き離す方向に小さな力が働いても、第一連結具１２と第二連結具１４とが離れることがないので、紐状体１０の連結手段として使用することができる。第一連結具１２と第二連結具１４とを引き離す場合は、磁石の吸引力に勝る大きな力を互いに離れる方向に加えることによって、第一連結具１２と第二連結具１４とを簡単に引き離すことができる。
【００１６】
なお、前記実施形態では、第一連結具１２の空間１８の奥側の隔壁２０を磁石とし、第二連結具１４のピン２６を鉄としたが、第一連結具１２の隔壁２０を鉄とし、第二連結具１４のピン２６を磁石としても良い。しかし、第一連結具１２のハウジング１４の内部に磁石を備え、第二連結具１４のピン２６を鉄とする方が、外部に磁石による影響を及ぼさないことから望ましい。また、隔壁２０とピン２６との両者を磁石とする場合には、隔壁２０とピン２６との極性の区別を行うのに手間がかかるため、隔壁２０とピン２６の一方を磁石とし、他方を鉄とするのが良い。
【００１７】
【発明の効果】
以上説明したように、本発明に係る紐状体の連結手段によれば、第一連結具の空間に第二連結具のピンを挿入することによって第一連結具と第二連結具とを連結することができ、第一連結具と第二連結具とを引き離す方向に力を加えることで、第一連結具と第二連結具を容易に引き離すことができるので、連結並びに解除の操作は非常に簡単である。また、本発明は２個のハウジングと磁石と鉄製のピンとからなるので、従来の連結手段と比べて部品点数が少なく、製造コストを大幅に低減することができる。更に、紐状体の両端の連結は、第一連結具と第二連結具とを嵌合するものであるので、紐状体を順に多数連結することができ、異なる大きさの環状物を作ることができる。
【図面の簡単な説明】
【図１】本発明に係る紐状体の連結手段の解除状態を示す断面図である。
【図２】本発明に係る紐状体の連結手段の連結状態を示す断面図である。
【符号の説明】
１０  紐状体
１２  第一連結具
１４  第二連結具
１６  ハウジング
１８  空間
２０  隔壁
２４  ハウジング
２６  ピン
【図１】
2004167072.tif 000003
【図２】
2004167072.tif 000004